(57)【要約】【課題】  障子の竪框の補強及び防火性能の向上を容易に行うことができる防火建具を提供する。【解決手段】竪框の内周面に横框の端面が当接して框組されており、竪框は、上框との連結用のタッピングホールの下方位置から、下框との連結用のタッピングホールの下方位置にわたって補強材が配置されており、補強材は、下方部位が竪框のタッピングホールに挿通するネジにより共締めされるとともに、加熱時に膨張して竪框のガラス間口に通じる孔を塞ぐ膨張材が設けられている。【選択図】  図６
2019190088.tif 000002
【特許請求の範囲】
【請求項１】
竪框の内周面に横框の端面が当接して框組されており、
竪框は、上框との連結用のタッピングホールの下方位置から、下框との連結用のタッピングホールの下方位置にわたって補強材が配置されており、
補強材は、下方部位が竪框のタッピングホールに挿通するネジにより共締めされるとともに、加熱時に膨張して竪框のパネル間口に通じる孔を塞ぐ膨張材が設けられている防火建具。
【発明の詳細な説明】
【技術分野】
【０００１】
本発明は、  建物開口部に配置される防火建具に関する。
【背景技術】
【０００２】
建物開口部に配置される防火建具として、障子の竪框に補強材を配置してなる防火建具が公知となっている。
【先行技術文献】
【特許文献】
【０００３】
【特許文献１】特許第６１５７８４２号公報
【発明の概要】
【発明が解決しようとする課題】
【０００４】
上記特許文献１の建具は、障子の竪框の中空部内に補強材を配置することで、火災時等の強度を高めることができるが、補強材の構成や框体に対する固定構造が複雑であって、施工が煩雑であった。
【０００５】
本発明は、上記の事情を鑑み、障子の竪框の補強及び防火性能の向上を容易に行うことができる防火建具を提供することを目的とする。
【課題を解決するための手段】
【０００６】
本発明の一実施形態は、竪框の内周面に横框の端面が当接して框組されており、竪框は、上框との連結用のタッピングホールの下方位置から、下框との連結用のタッピングホールの下方位置にわたって補強材が配置されており、補強材は、下方部位が竪框のタッピングホールに挿通するネジにより共締めされるとともに、加熱時に膨張して竪框のガラス間口に通じる孔を塞ぐ膨張材が設けられている防火建具である。
【発明の効果】
【０００７】
本発明の一実施形態により、障子の竪框の補強及び防火性能の向上を容易に行うことができる防火建具を提供することができる。
【図面の簡単な説明】
【０００８】
【図１】本発明の一実施形態に係る防火建具の内観図である。
【図２】本発明の一実施形態に係る防火建具の竪断面図である。
【図３】本発明の一実施形態に係る防火建具の横断面図である。
【図４】本発明の一実施形態に係る防火建具の補強材の図であり、（ａ）は平面図であり、（ｂ）は（ａ）の矢印ｘ方向から正面図、（ｃ）は（ａ）の矢印ｙ方向から側面図である。
【図５】本発明の一実施形態に係る防火建具の補強材を取り付けた外召合框の図であり、（ａ）は横断面図であり、（ｂ）は（ａ）の矢印ｚ方向（パネル間口側）から見た図である。
【図６】本発明の一実施形態に係る防火建具の召合框と下框の接合部分の拡大斜視図である。
【図７】本発明の一実施形態に係る防火建具の外れ止め部品の図であり、（ａ）は側面図であり、（ｂ）は平面図であり、（ｃ）は上枠に取付けた状態の竪断面図であり、（ｄ）は上枠に取付けた状態を下方から見た図である。
【発明を実施するための形態】
【０００９】
本発明の一実施形態の防火建具について、図面を参考にして説明する。
（全体の構成）
図１ないし３に示すように、本実施形態の防火建具は、上枠１１、下枠１２及び左、右竪枠１３，１４を四周に組んでなる枠体１の内周に上框２１，３１、下框２２，３２及び左、右竪框２３，３３，２４，３４を四周に組んで内周にガラス等のパネル体２５，３５を嵌め込んでなる内障子２及び外障子３を引違い自在に配置する引違い建具として構成されている。
内障子２の左竪框（召合框）２３には、クレセント７が設けられている。
【００１０】
（上枠の構成）
枠体１を構成する上枠１１は、建物の躯体開口部の内周面に配置される上枠本体部１１ａと、上枠本体部１１ａの室内側より下方に延設される室内側見付壁部１１ｂと、上枠本体部１１ａの見込方向の中央付近から下方に延設される中央見付壁部１１ｃと、上枠本体部１１ａの室外側より下方に延設される室外側見付壁１１ｄと、中央見付壁部１１ｃと室外側見付壁１１ｄとの間から下方に延設される外上レール部１１ｅを有している。
【００１１】
そして、内障子２の上部が室内側見付壁部１１ｂと中央見付壁部１１ｃとの間に案内され、外障子３の上部が外上レール部１１ｅに案内されており、室内側見付壁部１１ｂ及び中央見付壁部１１ｃの室外側面には、それぞれ内障子２の上框２１及び外障子３の上框３１の室内側面に当接する気密材が配置されている。
また、中央見付壁部１１ｃと外上レール部１１ｅとの間であって、内、外障子２，３の召合せ部の上方位置には、風止め部材が取り付けられている。
【００１２】
さらに、上枠１１の室内側見付壁部１１ｂと中央見付壁部１１ｃとの間であって、右端部近傍位置には、加熱膨張材６２が配置されている。
加熱膨張材６２，６２は、図７に示すように、上枠１１の右端部から所定寸法の長さを有する短尺に形成されており、左端部が外れ止め部品６１によって保持されている。
【００１３】
外れ止め部品６１は、アルミ合金等の金属材料からなり、加熱膨張材６２を抑える上壁部６１ａと、上壁部６１ａの室内側端から下方に延設される室内側係止部６１ｂと、上壁部６１ａの室外側に形成される室外側係止部６１ｃとを有し、断面略Ｌ字状のピース部材により形成されている。
そして、加熱膨張材６２が接着等により取り付けられた上枠１１に対して、まず中央見付壁部１１ｃの上方部位に形成した係止溝１１ｇに外れ止め部品６１の室外側係止部６１ｃを挿入し、その後、外れ止め部品６１の室内側を下方から押し込むことで、室内側係止部６１ｂを上枠１１の室内側見付壁部１１ｂの気密材取付部分の上面１１ｆに嵌り込み、加熱膨張材６２を抑えた状態で取り付けられている。
【００１４】
このように、上枠１１には、配置された加熱膨張材６２の端部を抑えるように外れ止め部品６１を設けているので、加熱膨張材６２が経年劣化等により、上枠から剥がれ落ちることを防止することができる。
なお、外れ止め部品６１は、必要に応じてネジ孔６１ｄ等を形成し、ネジ等の固定手段ｂ３によって、固定してもよい。
【００１５】
（下枠の構成）
枠体１を構成する下枠１２は、建物の躯体開口部の内周面に配置される下枠本体部１２ａと、下枠本体部１２ａの室内側より立設する室内側見付壁部１２ｂと、下枠本体部１２ａの室内側に設けられた内下レール部１２ｃと、内下レール部１２ｃの下方部位から室外側に延設される気密材保持片１２ｄと、下枠本体部１２ａの室外側に設けられた外下レール部１２ｅを有している。
【００１６】
そして、内障子２の下框２２に配置された戸車２６が内下レール部１２ｃに案内され、外障子３の下框３２に配置された戸車３６が外下レール部１２ｅに案内されており、室内側見付壁部１２ｂの室外側面及び気密材保持片１２ｄの先端部には、それぞれ内障子２の下框２２及び外障子３の下框３２の室内側面に当接する気密材が配置されている。
【００１７】
枠体１を構成する左竪枠１３は、建物の躯体開口部の内周面に配置される左竪枠本体部１３ａと、左竪枠本体部１３ａの内周面に設けられた室内側見付壁１３ｂ、中央見付壁１３ｃ、室外側見付壁１３ｄを有し、中央見付壁１３ｃと室外側見付壁１３ｄとによって、建具の閉鎖時に、外障子３の戸先框３３の先端が位置する障子受部を形成している。
障子受部には、内周に突出する突出片が形成されており、内、外障子２，３の閉鎖時に、外障子３の戸先框３３に設けられた引寄せブロックｆが当接することで戸先框３３を室内側に引き寄せて、中央見付壁１３ｃの室外側面に設けられた気密材に外障子３の左竪框３３の室内側面を密接させる。
【００１８】
また、枠体１を構成する右竪枠１４も、同様に、建物の躯体開口部の内周面に配置される右竪枠本体部１４ａと、右竪枠本体部１４ａの内周面に設けられた室内側見付壁１４ｂ、中央見付壁１４ｃ、室外側見付壁１４ｄを有し、室内側見付壁１４ｂと中央見付壁１４ｃとによって、建具の閉鎖時に、内障子２の戸先框２４の先端が位置する障子受部を形成している。
【００１９】
（内障子及び外障子）
内障子２及び外障子３は、ほぼ同様の構成を有しているので、ここでは内、外障子２，３の構成について、主に内障子２を用いて説明し、外障子３については、内障子２と異なる部分についてのみ説明する。
【００２０】
内障子２を構成する各框材は、それぞれ中空部を有する框材本体部と、框材本体部の内周に形成されパネル体２５を保持するパネル間口によって形成されている。
例えば、内障子２を構成する上框２１は、図２に示すように、中空部を有する上框本体部２１ａと、パネル体２５を保持するパネル間口２１ｂを備えており、内障子２を構成する下框２２は、中空部を有する下框本体部２２ａと、パネル体２５を保持するパネル間口２２ｂを備えている。
【００２１】
また、内障子２を構成する右竪框（戸先框）２４は、中空部を有する右竪框本体部２４ａと、パネル体２５を保持するパネル間口２４ｂを備えている。
また、内障子２を構成する左竪框（召合框）２３は、パネル体２５を保持するパネル間口２３ｂと、パネル間口２３ｂの外周側の室外側に配置される中空部２３ｃを有する左竪框本体部２３ａを備えている。
なお、左竪框２３の室外側面には、外障子３の右竪框（召合框）３４との間を気密する気密材と、煙返し片が設けられている。
【００２２】
そして、内障子２は、左、右竪框２３，２４の内周面に、上、下框（横框）２１，２２の端面が当接して、タッピングビス等の固定手段によって框組されている。
【００２３】
一方、外障子３は、右竪框（召合框）３４の右竪框本体部３４ａが、ほとんどパネル間口３４ｂの外周側の室内側に配置される中空部３４ｃのみによって構成されている点で、内障子２と異なっている。なお、右竪框本体部３４ａの室内側壁には、煙返し片が形成されているとともに、例えば加熱発泡材等を保持可能なホルダーを備えている。その他の構成については、内障子２と同様であるので、ここでの説明は省略する。
【００２４】
（補強材による防火構造）
本実施形態の防火建具においては、図３に示すように、内障子２の左竪框（召合框）２３の左竪框本体部２３ａ及び外障子３の右竪框（召合框）３４の右竪框本体部３４ａに、補強材５及び加熱膨張材６を配置することによって、防火対策が施されている。以下、補強材５及び加熱膨張材６による防火対策について、外障子３を用いて説明する。
【００２５】
補強材５は、図４に示すように、底壁５１及び左、右側壁５２，５３からなる断面略Ｕ字状の長尺部材により形成されており、右側壁５３の下方部分に切欠部５３ａが形成されている。
一方、左側壁５２の下方部位には上下の二つのネジ孔５２ａ，５２ａが形成されており、上下のネジ孔５２ａ，５２ａの間に戸車調節孔５２ｂが形成されている。また、左側壁５２の上方部位には複数のネジ孔５２ｃが形成されている。
【００２６】
さらに、左側壁５２の下方部位に形成されたネジ孔５２ａの上方位置に、外障子３の右竪框３４のパネル間口３４ｂに連通するように形成された等圧孔等に対応させて形成された通孔５２ｄが形成されている。
そして、補強材５の底壁５１には、左側壁５２に形成された通孔５２ｄの上方位置から補強材５の下端にかけて加熱により発泡する加熱膨張材６が配置されている。
【００２７】
次に、補強材５の竪框への固定について説明する。
図５に示すように、補強材５は、竪框（左竪框）３４の中空部３４ｃ内においてＵ字の開口を室内側に向けるように、上框３１との連結用のタッピングホール３４ｄ，３４ｄよりも下方の位置から、下框３２との連結用のタッピングホール３４ｅ，３４ｅの下方位置に亘って配置されている。なお、補強材５の上端位置は、竪框の上方位置である方が好ましく、竪框の上方部位に形成されたタッピングホール３４ｄ，３４ｄの上方に至るものであってもよい。
【００２８】
中空部３４ｃ内に配置された補強材５は、左側壁５２を中空部３４ｃの内周側の壁面に当接するように配置され、下方部位に形成したネジ孔５２ａにおいて、右竪框３４と下框３２とを連結するタッピングネジｂ１によって共締め固定されている。
タッピングネジｂ１は、図６に示すように、右竪框３４の外周側から右竪框本体部３４ａの外周面に形成された通孔３４ｈから挿入されて、補強材５のネジ孔５２ａと右竪框３４のタッピングホール３４ｅと下框３２のタッピングホールにねじ込まれる。
それによって、下框３２と右竪框３４とを連結するとともに、補強材５を右竪框３４及び下框３２に固定している。
なお、補強材５の右側壁５３の下方部位に切欠部５３ａが形成されているので、補強材５をＵ字状としながら、タッピングネジｂ１による共締めを行うことができる。
【００２９】
一方、補強材５の上方は、図３に示すように、上方部位に形成されたネジ孔５２ｃにおいて、右竪框３４のパネル間口３４ｂ側から挿通されるネジｂ２によって右竪框３４に固定されている。
そして、中空部３４ｃ内に配置された補強材５の通孔５２ｄの位置は、右竪框３４の中空部３４ｃの内周壁に形成された等圧孔３４ｇの位置と一致しており、等圧孔３４ｇによる等圧効果を妨げることはない。
【００３０】
以上の本実施形態の防火建具においては、右竪框３４の中空部３４ｃ内に長手方向に沿って補強材５が固定されているので、右竪框３４の上框３１が連結される部位の下方位置から下端にかけてほぼ全長に亘って補強することができる。
そして、補強材５は、少なくとも下方部位において、右竪框３４と下框３２とを連結するタッピングネジｂ１によって共締め固定されているので、下框３２の見込み方向の移動がタッピングネジｂ１により共締めされた補強材５によって規制され、火災時の火炎や熱によって下框３２の上方部分が室外側に倒れることを防止できる。
【００３１】
また、補強材５の底壁５１に配置された加熱膨張材６によって、火災時には、右竪框３４に形成されたパネル間口３４ｂに通じる等圧孔等の孔を塞ぐことができるので、等圧孔等による室内外の連通を防止して、防火性能を高めることができる。
さらに、補強材５は、Ｕ字の開口が室内側に向けて配置されているので、右竪框３４に形成されたネジ孔や戸車調節孔等の位置に影響を受けることなく、所望の位置に所望の大きさの膨張材６を配置することができるとともに、加熱膨張材６が配置された底壁５１が右竪框３４内の室外側面に位置することで、室外側からの火災に対して速やかに加熱されて、火災初期の段階で発泡させることができる。
【００３２】
また、右竪框３４内に配置される長手方向に延びる補強材５は、タッピングホールに共締めすることで位置が決まるので、補強材５の位置決めが容易であるし、膨張材６が補強材５に取付けることで、右竪框３４に対して膨張材６を配置するための手段が必要なく、膨張材６の位置決めも容易且つ確実に行うことができる。
【００３３】
以上、竪框の補強材及び加熱膨張材による強度及び防火性の向上について外障子３の右竪框３４を用いて説明したが、内障子２についても同様である。
なお、内障子２においては、補強材５の側壁が左竪框（召合框）２３の外周面に設けられるクレセント７の取付の際に裏板を兼用することができ、召合框２３に対してクレセント７を強固に固定することができる。
【００３４】
なお、本実施形態の防火建具では、下框３２を連結するためのタッピングネジｂ１は、上下に二か所に設けており、下框３２の倒れ込みを防止する上で好ましいが、下框３２の一か所を固定するものでもよく、その際には、下框３２の上方部位に連結するものであることが好ましい。
また、本実施形態の防火建具は、必要に応じて適宜加熱膨張材が配置されてもよい。
以上の実施形態は，請求項に記載された発明を限定するものではなく，例示として取り扱われることは言うまでもない。
【符号の説明】
【００３５】
１      ：枠体
２      ：内障子
３      ：外障子
３１    ：上框
３２    ：下框
３４    ：右竪框
３４ａ  ：右竪框本体部
３４ｂ  ：パネル間口
３４ｃ  ：中空部
３４ｄ  ：タッピングホール
３４ｅ  ：タッピングホール
３４ｇ  ：等圧孔
３４ｈ  ：通孔
５      ：補強材
５１    ：底壁
５２    ：左側壁
５２ａ  ：ネジ孔
５２ｂ  ：戸車調節孔
５２ｃ  ：ネジ孔
５２ｄ  ：通孔
５３    ：右側壁
５３ａ  ：切欠部
６      ：加熱膨張材
７      ：クレセント
ｂ１    ：タッピングネジ
【図１】
2019190088.tif 000003
【図２】
2019190088.tif 000004
【図３】
2019190088.tif 000005
【図４】
2019190088.tif 000006
【図５】
2019190088.tif 000007
【図６】
2019190088.tif 000008
【図７】
2019190088.tif 000009